【手続補正書】
【提出日】平成27年5月26日(2015.5.26)
【手続補正１】
【補正対象書類名】明細書
【補正対象項目名】発明の名称
【補正方法】変更
【補正の内容】
【発明の名称】情報処理装置、情報処理システム、その制御方法およびプログラム
【手続補正２】
【補正対象書類名】明細書
【補正対象項目名】０００１
【補正方法】変更
【補正の内容】
【０００１】
本発明は、順次表示する画像の表示時間の決定方法に関する。
【手続補正３】
【補正対象書類名】明細書
【補正対象項目名】０００７
【補正方法】変更
【補正の内容】
【０００７】
本発明は、表示される画像の位置と当該画像の次に表示される画像の位置とに応じて、表示される画像の表示時間を決定して表示する仕組みを提供することを目的とする。
【手続補正４】
【補正対象書類名】明細書
【補正対象項目名】０００８
【補正方法】変更
【補正の内容】
【０００８】
本発明は、複数の画像を表示画面に順に表示すべく、当該複数の画像の表示順を特定する表示順特定手段と、前記画像に対応する位置を特定する位置特定手段と、前記表示順特定手段で特定された前記表示順で表示画面に表示される前記複数の画像のうちの１つであって、前記位置特定手段により特定された画像に対応する第１の位置と、当該画像の次に表示される画像に対応する第２の位置とに応じて、前記第１の位置に対応する画像が前記表示画面に表示される表示時間を決定する決定手段と、前記複数の画像を、前記表示順特定手段で特定された前記表示順に従って、前記決定手段で決定した時間分、順に表示画面に表示する画像表示手段と、を備えることを特徴とする。
【手続補正５】
【補正対象書類名】明細書
【補正対象項目名】０００９
【補正方法】変更
【補正の内容】
【０００９】
本発明によれば、表示される画像の位置と当該画像の次に表示される画像の位置とに応じて、表示される画像の表示時間を決定して表示する仕組みを提供することが可能になる。
【手続補正６】
【補正対象書類名】特許請求の範囲
【補正対象項目名】全文
【補正方法】変更
【補正の内容】
【特許請求の範囲】
【請求項１】
複数の画像を表示画面に順に表示すべく、当該複数の画像の表示順を特定する表示順特定手段と、
前記画像に対応する位置を特定する位置特定手段と、
前記表示順特定手段で特定された前記表示順で表示画面に表示される前記複数の画像のうちの１つであって、前記位置特定手段により特定された画像に対応する第１の位置と、当該画像の次に表示される画像に対応する第２の位置とに応じて、前記第１の位置に対応する画像が前記表示画面に表示される表示時間を決定する決定手段と、
前記複数の画像を、前記表示順特定手段で特定された前記表示順に従って、前記決定手段で決定した時間分、順に表示画面に表示する画像表示手段と、
を備えることを特徴とする情報処理装置。
【請求項２】
前記画像表示手段で表示されている画像に対応する位置を示すオブジェクトを、前記表示画面におけるマップを表示する領域であるマップ表示領域上に表示させるべく制御する表示制御手段と、
を備えることを特徴とする請求項１に記載の情報処理装置。
【請求項３】
前記表示制御手段は、前記画像表示手段で未表示の画像に対応するオブジェクトを前記マップ表示領域に表示することなく、前記画像表示手段で既に表示された画像に対応するオブジェクトを前記マップ表示領域に表示すべく制御することを特徴とする請求項２に記載の情報処理装置。
【請求項４】
前記表示制御手段は、前記画像表示手段により画像が表示されてから次の画像が表示されるまでの間に、表示された画像の位置から次の画像の位置までのマップの情報を、前記表示画面に表示すべく制御することを特徴とする請求項２又は３に記載の情報処理装置。
【請求項５】
前記画像と、前記画像に対応する位置情報と、前記画像に対応するオブジェクトを記憶したウェブサイトサーバと通信可能であり、
前記表示制御手段は、前記ウェブサイトサーバに対して前記オブジェクトを前記表示画面におけるマップ表示領域上に配置して表示する画面の返信要求を送信することにより、前記オブジェクトを前記マップ表示領域上に配置して表示することを特徴とする請求項２乃至４のいずれか１項に記載の情報処理装置。
【請求項６】
前記オブジェクトを配置する位置の近傍のランドマークの情報を取得するランドマーク情報取得手段と、
を備え、
前記表示制御手段は、前記オブジェクトと、前記ランドマーク情報取得手段で取得したランドマークの情報とを、前記マップ表示領域上に配置して表示することを特徴とする請求項２乃至５のいずれか１項に記載の情報処理装置。
【請求項７】
前記画像に対応する時間情報を取得する時間情報取得手段と、
を備え、
前記表示制御手段は、前記画像表示手段で表示する画像に対応する時間情報の示す時間に応じて、前記画像に対応するオブジェクトのそれぞれをラインで繋いで表示すべく制御することを特徴とする請求項２乃至６のいずれか１項に記載の情報処理装置。
【請求項８】
前記画像表示手段で表示される前記画像に対応する位置情報の示す地名の情報を表示する地名情報表示手段
を更に備えることを特徴とする請求項１乃至７のいずれか１項に記載の情報処理装置。
【請求項９】
前記決定手段は、前記第１の位置と第２の位置との距離が長いほど前記第１の位置に対応する画像の表示時間を長くすることを決定することを特徴とする請求項１乃至８のいずれか１項に記載の情報処理装置。
【請求項１０】
複数の画像を記憶したウェブサイトサーバと、表示画面を表示する表示部を備える情報処理装置とを含む情報処理システムであって、
前記複数の画像を表示画面に順に表示すべく、当該複数の画像の表示順を特定する表示順特定手段と、
前記画像に対応する位置を特定する位置特定手段と、
前記表示順特定手段で特定された前記表示順で表示画面に表示される前記複数の画像のうちの１つであって、前記位置特定手段により特定された画像に対応する第１の位置と、当該画像の次に表示される画像に対応する第２の位置とに応じて、前記第１の位置に対応する画像が前記表示画面に表示される表示時間を決定する決定手段と、
前記複数の画像を、前記表示順特定手段で特定された前記表示順に従って、前記決定手段で決定した時間分、順に表示画面に表示する画像表示手段と、
を備えることを特徴とする情報処理システム。
【請求項１１】
表示順特定手段が、複数の画像を表示画面に順に表示すべく、当該複数の画像の表示順を特定する表示順特定工程と、
位置特定手段が、前記画像に対応する位置を特定する位置特定工程と、
決定手段が、前記表示順特定工程で特定された前記表示順で表示画面に表示される前記複数の画像のうちの１つであって、前記位置特定工程により特定された画像に対応する第１の位置と、当該画像の次に表示される画像に対応する第２の位置とに応じて、前記第１の位置に対応する画像が前記表示画面に表示される表示時間を決定する決定工程と、
画像表示手段が、前記複数の画像を、前記表示順特定工程で特定された前記表示順に従って、前記決定工程で決定した時間分、順に表示画面に表示する画像表示工程と、
を含むことを特徴とする情報処理装置の制御方法。
【請求項１２】
情報処理装置で実行が可能なプログラムであって、
前記情報処理装置を、
複数の画像を表示画面に順に表示すべく、当該複数の画像の表示順を特定する表示順特定手段と、
前記画像に対応する位置を特定する位置特定手段と、
前記表示順特定手段で特定された前記表示順で表示画面に表示される前記複数の画像のうちの１つであって、前記位置特定手段により特定された画像に対応する第１の位置と、当該画像の次に表示される画像に対応する第２の位置とに応じて、前記第１の位置に対応する画像が前記表示画面に表示される表示時間を決定する決定手段と、
前記複数の画像を、前記表示順特定手段で特定された前記表示順に従って、前記決定手段で決定した時間分、順に表示画面に表示する画像表示手段として機能させることを特徴とする情報処理装置のプログラム。
【請求項１３】
複数の画像を記憶したウェブサイトサーバと、表示画面を表示する表示部を備える情報処理装置とを含む情報処理システムの制御方法であって、
表示順特定手段が、複数の画像を表示画面に順に表示すべく、当該複数の画像の表示順を特定する表示順特定工程と、
位置特定手段が、前記画像に対応する位置を特定する位置特定工程と、
決定手段が、前記表示順特定工程で特定された前記表示順で表示画面に表示される前記複数の画像のうちの１つであって、前記位置特定工程により特定された画像に対応する第１の位置と、当該画像の次に表示される画像に対応する第２の位置とに応じて、前記第１の位置に対応する画像が前記表示画面に表示される表示時間を決定する決定工程と、
画像表示手段が、前記複数の画像を、前記表示順特定工程で特定された前記表示順に従って、前記決定工程で決定した時間分、順に表示画面に表示する画像表示工程と、
を含むことを特徴とする情報処理システムの制御方法。
【請求項１４】
複数の画像を記憶したウェブサイトサーバと、表示画面を表示する表示部を備える情報処理装置とを含む情報処理システムで実行が可能なプログラムあって、
前記情報処理システムを、
前記複数の画像を表示画面に順に表示すべく、当該複数の画像の表示順を特定する表示順特定手段と、
前記画像に対応する位置を特定する位置特定手段と、
前記表示順特定手段で特定された前記表示順で表示画面に表示される前記複数の画像のうちの１つであって、前記位置特定手段により特定された画像に対応する第１の位置と、当該画像の次に表示される画像に対応する第２の位置とに応じて、前記第１の位置に対応する画像が前記表示画面に表示される表示時間を決定する決定手段と、
前記複数の画像を、前記表示順特定手段で特定された前記表示順に従って、前記決定手段で決定した時間分、順に表示画面に表示する画像表示手段として機能させることを特徴とする情報処理システムのプログラム。